(57)【特許請求の範囲】
【請求項１】
対向する表裏一対の平面部材と、前記平面部材の両側縁から内方に折り込まれる一対の側面部材とを備え、前記平面部材と前記側面部材の両側縁をシールすることにより上下方向に縦シール部が形成されるとともに、前記縦シール部の下端部から前記平面部材の下端中央側に向かう斜めシール部が形成され、前記縦シール部と前記斜めシール部の交差部分が内方に折り曲げられることによって底面が形成されるガゼット袋であって、
前記縦シール部と前記斜めシール部の交差部分において、外側に形成される外シール交点が内側に形成される内シール交点の同一高さまたは上方側に位置するようにシールされ、折れ曲がり部が該内シール交点から水平方向に沿って斜めシール部上に形成されることを特徴とするガゼット袋。
【請求項２】
前記斜めシール部は、前記縦シール部よりシール幅が狭くなるように形成されている請求項１に記載のガゼット袋。
【請求項３】
前記斜めシール部は、前記縦シール部の下端部から前記平面部材の下端中央側に向かうに連れてシール幅が次第に広くなるように形成されている請求項１または請求項２に記載のガゼット袋。
【請求項４】
前記縦シール部と前記斜めシール部の交差部分の外側がアール形状に形成され、前記縦シール部におけるアール形状の開始点が前記外シール交点となされている請求項１ないし請求項３のいずれかに記載のガゼット袋。
【請求項５】
前記縦シール部と前記斜めシール部の交差部分の内側がアール形状に形成され、前記縦シール部における前記アール形状の開始点での内側接線と前記斜めシール部における前記アール形状の開始点での内側接線とによる交点が前記内シール交点となされている請求項１ないし請求項４のいずれかに記載のガゼット袋。
【発明の詳細な説明】
【技術分野】
【０００１】
本発明は、種々の液体あるいは粘性体などの内容物を収容するガゼット袋に関するものである。
【背景技術】
【０００２】
従来より、飲料物、食品、流動食、医薬品、洗剤などの液体あるいは粘性体などの内容物を収容する包装袋としてガゼット袋が知られている。このガゼット袋１００は、図８に示すように、対向する表裏一対の平面部材１１１と、平面部材１１１の両側縁から内方に折り込まれる一対の側面部材１１２とを備え、平面部材１１１と側面部材１１２の両側縁をシールすることによって上下方向に縦シール部１１３ｃが形成されているとともに、縦シール部１１３ｃの下端部から平面部材１１１の下端中央側に向かう斜めシール部１１３ｄが形成されている。そして、縦シール部１１３ｃと斜めシール部１１３ｄの交差部分１１４が内方に折り曲げられて底面１００Ｂが形成されることによって自立するというものである。
【０００３】
ところが、上記ガゼット袋１００は可撓性部材からなるため、ガゼット袋１００の底面１００Ｂを完全に同一平面にすることは難しく、自立が不安定になる場合があった。
【０００４】
そこで、ガゼット袋の自立を安定させるために、従来より種々工夫が施されており、例えば下記特許文献１および特許文献２に開示されている。
【０００５】
特許文献１では、各縦シール部の所定高さ位置に切り落とし部をそれぞれ形成することによって、該切り落とし部が底面を形成する際の折り曲げの起点となるようにしている。
【０００６】
また特許文献２では、二つ折りにされた状態のガゼット袋の両側部から外側に張り出した左右一対の外ガゼット部を形成し、この外ガゼット部の下端部がガゼット袋の自立を支持するようにしている。
【先行技術文献】
【特許文献】
【０００７】
【特許文献１】特開２００８−０１８９９２号公報
【特許文献２】特開２０１１−０３７４８９号公報
【発明の概要】
【発明が解決しようとする課題】
【０００８】
しかしながら、従来のガゼット袋は、切り落とし部あるいは外ガゼット部などを形成するための工程が必要であるため、該工程によって製造コストが高くなるという問題があった。特にガゼット袋は、飲料物、食品、医薬品、洗剤などのような消耗品を収容するために用いられることが多いため、安価であることが強く求められており、上述のように製造コストが高いという問題は決して無視できるものではなかった。
【０００９】
そこで、本出願人は、従来のガゼット袋１００の自立が安定しないという当初の問題について種々検討を重ねた結果、該問題は、平面部材１１１および側面部材１１２における縦シール部１１３ｃと斜めシール部１１３ｄとの交差部分１１４が内方に略直角に折れ曲がりにくいことが原因であることを発見するに至った。
【００１０】
すなわち、図８および図９に示すように、交差部分１１４は内側に形成された内シール交点１１４ａと外側に形成された外シール交点１１４ｂとを有しており、交差部分１１４が内方に折り曲げられると該内シール交点１１４ａから水平方向に沿って縦シール部１１３ｃ上に折れ曲がり部１１５が形成され、該折れ曲がり部１１５に基づいて交差部分１１４が内方に折れ曲がる。
【００１１】
ところが、交差部分１１４の折れ曲がりに抗して、縦シール部１１３ｃには直線形状に戻ろうとする反発力が生じるため、交差部分１１４が内方に略直角に折れ曲がりにくいものとなっていた。これにより、図９に示すように、斜めシール部１１３ｄおよび底シール部１１３ｂが下方に突出するため、ガゼット袋１００全体が傾くなどしてガタツキが生じて、ガゼット袋１００の自立が不安定となっていた。
【００１２】
なお、図８および図９に付しているその他の記号については、後述の実施形態にそれぞれ対応するものであり、その説明を省略している。
【００１３】
本発明は、従来のガゼット袋の構造上の問題の発見に鑑みてなされたものであって、簡易な構成にして安定して自立することができるガゼット袋を提供することを目的とする。
【課題を解決するための手段】
【００１４】
本発明に係るガゼット袋は、対向する表裏一対の平面部材と、平面部材の両側縁から内方に折り込まれる一対の側面部材とを備え、平面部材と側面部材の両側縁をシールすることにより上下方向に縦シール部が形成されるとともに、縦シール部の下端部から平面部材の下端中央側に向かう斜めシール部が形成され、縦シール部と斜めシール部の交差部分が内方に折り曲げられることによって底面が形成されるものである。本ガゼット袋は、上記目的を達成するために、縦シール部と斜めシール部の交差部分において、外側に形成される外シール交点が内側に形成される内シール交点の同一高さまたは上方側に位置するようにシールされていることを特徴とする。
【００１５】
これによれば、外シール交点が内シール交点の同一高さまたは上方側に位置していることによって、折れ曲がり部が該内シール交点から水平方向に沿って斜めシール部上に形成されるため、該折れ曲がり部に基づいて交差部分が内方に略直角に折れ曲がり易くなる。これにより、斜めシール部および底シール部が下方に突出しなくなり、ガゼット袋の底面が略平坦状になり得るため、ガゼット袋全体としてガタツキが防止され、簡単な構成にして安定して自立することができる。
【００１６】
また、斜めシール部は、縦シール部よりシール幅が狭くなるように形成されているものであってもよい。あるいは、斜めシール部は、縦シール部の下端部から平面部材の下端中央側に向かうに連れてシール幅が次第に広くなるように形成されているものであってもよい。これによれば、外シール交点を内シール交点の上方側に容易に位置させることができるとともに、底面を形成する際に斜めシール部を内方に略直角に折れ曲がり易くすることができる。
【００１７】
また、縦シール部と斜めシール部の交差部分の外側がアール形状に形成され、縦シール部におけるアール形状の開始点が外シール交点となされているものであってもよい。これによれば、交差部分の外縁において先端が尖った角状部がなくなるため、本ガゼット袋を取り扱う際の安全性を向上させることができる。
【００１８】
また、縦シール部と斜めシール部の交差部分の内側がアール形状に形成され、縦シール部におけるアール形状の開始点での内側接線と斜めシール部におけるアール形状の開始点での内側接線とによる交点が内シール交点となされているものであってもよい。これによれば、縦シール部における内側接線と斜めシール部における内側接線との交点が内シール交点となされるため、縦シール部と斜めシール部の交差部分の内側がアール形状であってもガゼット袋を安定して自立させることができる。
【発明の効果】
【００１９】
本発明によれば、外シール交点が内シール交点の同一高さまたは上方側に位置していることによって、折れ曲がり部が該内シール交点から水平方向に沿って斜めシール部上に形成されるため、該折れ曲がり部に基づいて交差部分が内方に略直角に折れ曲がり易くなる。これにより、斜めシール部および底シール部が下方に突出しなくなり、ガゼット袋の底面が略平坦状になり得るため、ガゼット袋全体としてガタツキが防止され、簡単な構成にして安定して自立することができる。
【図面の簡単な説明】
【００２０】
【図１】第１の実施形態に係るガゼット袋の正面図である。
【図２】図１のガゼット袋の正面要部拡大図である。
【図３】図１のガゼット袋が自立した状態を示す斜視図である。
【図４】図３のガゼット袋の（ａ）正面要部拡大図、および（ｂ）側面要部拡大図である。
【図５】第２の実施形態に係るガゼット袋の（ａ）正面図、および（ｂ）正面要部拡大図である。
【図６】第３の実施形態に係るガゼット袋の（ａ）正面図、および（ｂ）正面要部拡大図である。
【図７】第４の実施形態に係るガゼット袋の（ａ）正面要部拡大図、および（ｂ）その要部のさらなる拡大図である。
【図８】従来のガゼット袋の（ａ）正面図、および（ｂ）正面要部拡大図である。
【図９】従来のガゼット袋が自立した状態の側面要部拡大図である。
【発明を実施するための形態】
【００２１】
＜第１の実施形態＞
次に、本発明に係るガゼット袋の第１の実施形態について図１〜図４を参照しつつ説明する。
【００２２】
本実施形態に係るガゼット袋１０は、図１に示すように、表裏一対の平面部材１１と、該平面部材１１の両側縁に設けられた一対の側面部材１２とを備える。また、本ガゼット袋１０は、上端縁の中央部において、ガゼット袋１０の内部に収容される液体あるいは粘性体などの内容物を外部に注出する注出部材１０Ａが設けられている。
【００２３】
前記平面部材１１は、互いに同一の形状および同一の大きさを有する可撓性の表側シート部材１１Ａおよび裏側シート部材１１Ｂからなり、表側シート部材１１Ａおよび裏側シート部材１１Ｂが一対をなす態様で対向している。この平面部材１１は、矩形の下端縁の両側をコーナーカットしたような傾斜辺を有する六角形状に形成されている。本実施形態では、上端縁両側の２つの角部の内角がいずれも９０度で、下方側の４つの角部の内角がいずれも１３５度で形成された六角形状である。
【００２４】
前記側面部材１２は、互いに同一の形状および同一の大きさを有する可撓性の左側シート部材１２Ａおよび右側シート部材１２Ｂからなり、平面部材１１の左右両側における両側縁同士の間に介在する態様で一対で設けられている。この側面部材１２の左側シート部材１２Ａおよび右側シート部材１２Ｂは、いずれも厚み方向の中央部に折込部１２ａが上下方向に形成されて内方に二つ折りに折り込まれた状態となされており、平面部材１１の上端縁および両側縁と一致するように上端縁および両側縁が形成されている。これにより、側面部材１２は内容物が収容されることによって厚み方向に広がってマチが形成される。
【００２５】
本ガゼット袋１０は、上記平面部材１１および側面部材１２の各周縁がヒートシールされることによってシール部１３が形成されている。このシール部１３は、平面部材１１および側面部材１２の上端縁に沿って形成された天シール部１３ａと、平面部材１１の下端縁に沿って形成された底シール部１３ｂと、平面部材１１と側面部材１２の両側縁における上下辺に沿って形成された縦シール部１３ｃと、平面部材１１と側面部材１２の両側縁における傾斜辺に沿って形成された斜めシール部１３ｄとを備えている。
【００２６】
前記天シール部１３ａは、中央部において平面部材１１同士が注出部材１０Ａを挟み込んだ状態でシールされるとともに、該注出部材１０Ａの左右両側で平面部材１１同士が側面部材１２を挟み込んだ状態で左右方向にシールされることによって形成されている。
【００２７】
前記底シール部１３ｂは、天シール部１３ａの中央部の下方側において、平面部材１１同士が左右方向にシールされることにより形成されている。
【００２８】
前記縦シール部１３ｃは、ガゼット袋１０の両側縁の上下辺に沿って形成されたものであるため、ガゼット袋１０における表側の左右両端と裏側の左右両端の計４箇所に形成されている。ガゼット袋１０の右側に形成された２つの縦シール部１３ｃは天シール部１３ａの右側端部と連続しており、ガゼット袋１０の左側に形成された２つの縦シール部１３ｃは天シール部１３ａの左側端部と連続している。
【００２９】
前記斜めシール部１３ｄは、図２に示すように、ガゼット袋１０の両側縁の傾斜辺に沿って形成されたものであるため、縦シール部１３ｃと同様、ガゼット袋１０における表側の左右両端と裏側の左右両端の計４箇所に形成されている。ガゼット袋１０の右側に形成された２つの斜めシール部１３ｄは、上端部が縦シール部１３ｃの下端部と連続しており、下端部が底シール部１３ｂの右側端部と連続している。また、ガゼット袋１０の左側に形成された２つの斜めシール部１３ｄは、上端部が縦シール部１３ｃの下端部と連続しており、下端部が底シール部１３ｂの左側端部と連続している。このことより、斜めシール部１３ｄは、縦シール部１３ｃの下端部から平面部材１１の下端中央側に位置する底シール部１３ｂに向かって形成されている。
【００３０】
上述したようにシール部１３が各々連続していることによって、各シール部１３ａ〜１３ｄによる交差部分が複数形成されている。これらの交差部分のうち、図２に示すように、縦シール部１３ｃと斜めシール部１３ｄとによる交差部分１４は、ガゼット袋１０を自立させるために底面１０Ｂを形成するに際して折り曲げられる起点となる。そして、この交差部分１４において、外側に形成される外シール交点１４ｂが内側に形成される内シール交点１４ａの上方側に位置するようにシールされている。つまり、外シール交点１４ｂの高さ位置をＬ１、内シール交点１４ａの高さ位置をＬ２とすると、外シール交点１４ｂ高さ位置Ｌ１が内シール交点１４ａの高さ位置Ｌ２より上方側に形成されている。
【００３１】
これにより、底面１０Ｂを形成するに際して交差部分１４を折り曲げたときに、該内シール交点１４ａから水平方向に沿って斜めシール部１３ｄ上に折れ曲がり部１５が形成されるため、該折れ曲がり部１５に基づいて交差部分１４を内方に略直角に折れ曲がり易くなる。
【００３２】
また、ここでの斜めシール部１３ｄは、図２に示すように、縦シール部１３ｃよりシール幅が狭くなるように形成されている。具体的には、斜めシール部１３ｄのシール幅Ｗ１は一定で、かつ、縦シール部１３ｃのシール幅Ｗ２より小さい幅で形成されている。こうすることにより、外シール交点１４ｂを内シール交点１４ａの上方側に容易に位置させることができるとともに、底面１０Ｂを形成する際に斜めシール部１３ｄが内方に略直角に折れ曲が易くなる。本実施形態では、斜めシール部１３ｄのシール幅Ｗ１が５ｍｍで、縦シール部１３ｃのシール幅Ｗ２が１０ｍｍで形成されている。
【００３３】
また、平面部材１１と側面部材１２とは、天シール部１３ａの下方近傍において、注出部材１０Ａに向かう態様で外方側から内方側に注出用シール部１３ｅが形成されている。これにより、内容物が注出部材１０Ａに導かれ易くなっている。
【００３４】
次に、本ガゼット袋１０における自立について図３および図４を参照しつつ説明する。
【００３５】
本ガゼット袋１０は、図３に示すように、液体を収容することよって内方に折り込まれた側面部材１２が厚み方向に広がって膨らんだ状態となされている。また、このガゼット袋１０は、縦シール部１３ｃと斜めシール部１３ｄとの交差部分１４が内方に折り曲げられて底面１０Ｂが形成されることにより自立している。
【００３６】
このとき本ガゼット袋１０は、図４に示すように、縦シール部１３ｃと斜めシール部１３ｄの交差部分１４において、外シール交点１４ｂが内シール交点１４ａの上方側に位置している。これにより、折れ曲がり部１５が該内シール交点１４ａから水平方向に沿って斜めシール部１３ｄ上に形成されるため、該折れ曲がり部１５に基づいて交差部分１４が内方に略直角に折れ曲がり易くなっている。これにより、斜めシール部１３ｄおよび底シール部１３ｂが上方側（液体を収容している側）に入り込み、ガゼット袋１０の底面１０Ｂが載置台Ｔの表面に沿って略平坦状になり得るため、ガゼット袋１０全体としてガタツキが防止され、簡単な構成にして安定して自立することができる。
【００３７】
なお、本実施形態では、外シール交点１４ｂが内シール交点１４ａの上方側に位置する場合について説明したが、内シール交点１４ａと同一高さであってもよい。
【００３８】
また、斜めシール部１３ｄが縦シール部１３ｃよりシール幅が狭くなるように形成されている場合について説明したが、同等あるいはそれ以上であってもよい。
【００３９】
また、斜めシール部１３ｄのシール幅Ｗ１が５ｍｍで、縦シール部１３ｃのシール幅Ｗ２が１０ｍｍで形成されている場合について説明したが、これに限られるものではない。
【００４０】
また、シール部１３がヒートシールによって形成される場合について説明したが、接着材料、粘着材料あるいはその他の手段によって形成されてもよい。
【００４１】
また、平面部材１１の形状において、上端縁両側の２つの角部の内角がいずれも９０度で、下方側の４つの角部の内角がいずれも１３５度で形成される場合について説明したが、その他の角度で形成されてもよい。
【００４２】
また、平面部材１１が六角形状である場合について説明したが、五または七以上の多角形状でもよい。例えば、平面部材は注出用シール部１３ｅの外側縁に沿う態様で八角形状に形成されてもよい。また、平面部材１１は多角形状に限られず、例えば、平面部材１１の天シール部１３ａの両側部がアール形状に形成されていてもよい。
【００４３】
また、注出用シール部１３ｅが設けられている場合について説明したが、設けられていなくてもよい。
【００４４】
＜第２の実施形態＞
次に、本発明に係るガゼット袋の第２の実施形態について図５を参照しつつ説明する。以下の説明では、第１の実施形態と異なる構成について説明することとし、同一の構成については同一の符号を付し、その説明を省略する。
【００４５】
本実施形態に係るガゼット袋２０の斜めシール部２３ｄは、図５に示すように、縦シール部１３ｃの下端部から平面部材１１の下端中央にある底シール部１３ｂの端部に向かうに連れてシール幅が次第に広くなるように形成されている。
【００４６】
これによれば、外シール交点１４ｂを内シール交点１４ａの上方側に容易に位置させることができるとともに、斜めシール部２３ｄを内方に略直角に折れ曲がり易くすることができる。
【００４７】
＜第３の実施形態＞
次に、本発明に係るガゼット袋の第３の実施形態について図６を参照しつつ説明する。以下の説明では、上記各実施形態と異なる構成について説明することとし、同一の構成については同一の符号を付し、その説明を省略する。
【００４８】
本実施形態に係るガゼット袋３０は、図６に示すように、縦シール部３３ｃと斜めシール部３３ｄの交差部分１４の外側がアール形状に形成され、縦シール部３３ｃにおけるアール形状の開始点が外シール交点１４ｂとなされているものである。
【００４９】
これによれば、交差部分１４の外縁において先端が尖った角状部がなくなるため、本ガゼット袋３０を取り扱う際の安全性を向上させることができる。
【００５０】
＜第４の実施形態＞
次に、本発明に係るガゼット袋の第４の実施形態について図７を参照しつつ説明する。以下の説明では、上記各実施形態と異なる構成について説明することとし、同一の構成については同一の符号を付し、その説明を省略する。
【００５１】
本実施形態に係るガゼット袋４０は、図７に示すように、縦シール部４３ｃと斜めシール部４３ｄの交差部分１４の内側がアール形状に形成され、縦シール部４３ｃにおけるアール形状の開始点での内側接線ｍ１と斜めシール部４３ｄにおけるアール形状の開始点での内側接線ｍ２とによる交点が内シール交点１４ａとなされているものである。
【００５２】
これにより、縦シール部４３ｃと斜めシール部４３ｄの交差部分１４の内側がアール形状に形成されていてもガゼット袋４０を安定して自立させることができる。したがって、ガゼット袋４０を構成する平面部材１１や側面部材１２の材質や収容する内容物などに応じて、交差部分１４の内側をアール形状に形成することが可能になる。
【００５３】
なお、上記各実施形態におけるガゼット袋は、２枚の平面部材と２枚の側面部材の計４枚の部材で構成される場合について説明したが、１枚の部材または２、３枚あるいは５枚以上の部材で構成されてもよい。
【００５４】
以上、図面を参照して本発明の実施形態を説明したが、本発明は、図示した実施形態のものに限定されない。図示された実施形態に対して、本発明と同一の範囲内において、あるいは均等の範囲内において、種々の修正や変形を加えることが可能である。
【符号の説明】
【００５５】
１０…ガゼット袋
１１…平面部材
１１Ａ…表側シート部材
１１Ｂ…表側シート部材
１２…側面部材
１２Ａ…左側シート部材
１２Ｂ…右側シート部材
１３…シール部
１３ａ…天シール部
１３ｂ…底シール部
１３ｃ…縦シール部
１３ｄ…斜めシール部
１３ｅ…注出用シール部
１４…交差部分
１４ａ…内シール交点
１４ｂ…外シール交点
１５…折れ曲がり部
【図１】
0005597212.tif 000002
【図２】
0005597212.tif 000003
【図３】
0005597212.tif 000004
【図４】
0005597212.tif 000005
【図５】
0005597212.tif 000006
【図６】
0005597212.tif 000007
【図７】
0005597212.tif 000008
【図８】
0005597212.tif 000009
【図９】
0005597212.tif 000010